(57)【特許請求の範囲】
【請求項１】
連結パイプと、この連結パイプの両側に設けられた１対の接続部とを具備し、前記１対の接続部は、それぞれ前記連結パイプが取り付けられた連結部及びこの連結部に一体的に形成された接続体部からなり、１対の前記接続部の前記接続体部は、それぞれの両端に水道管接続部及び量水器接続部を有し、前記量水器接続部は、互いに対向しており、前記連結パイプは、前記１対の接続部間の間隔を一定に保つと共に、パイプシャフトあるいはパイプスペース内の他の配管からなる構造物に取り付け固定する支持母材として用いることを特徴とする量水器の接続装置。
【請求項２】
前記水道管接続部の少なくとも１方は、曲げられていることを特徴とする請求項１に記載の量水器の接続装置。
【請求項３】
前記接続体部の一方には内部に逆止弁が配置されていることを特徴とする請求項１又は請求項２に記載の量水器の接続装置。
【発明の詳細な説明】
【０００１】
【発明の属する技術分野】
本発明は、水道管の途中に量水器を接続するための量水器の接続装置に関するものである。
【０００２】
【従来の技術】
従来、水道管の途中に接続する量水器は、定められた検定有効期限の経過によって取替える必要がある。そのため、量水器を所定の位置に固定するための接続装置を水道管の途中に接続し、この接続装置に量水器を着脱可能な状態で接続していた。
従来の接続装置としては、例えば、特許第２９０３３８８号公報で開示される量水器の接続装置が知られている。この接続装置は、接続機構部を有する一対の接続板部と、互いに対向する一対の接続板部を連結する複数の連結棒部を具備し、各接続機構部の外端に設けた水道管接続部に水道管を接続すると共に、各接続機構部の内端に設けた量水器接続部間に量水器を着脱可能に構成し、特に、一対の接続板部における下部間を水平方向に離間した一対の下連結棒部により連結し、且つ一方の下連結棒部の鉛直方向上方に位置する上部間を上連結棒部により連結したものであり、量水器の着脱作業を円滑かつ迅速に行うことができる。
【０００３】
しかし、このような従来の接続装置は、地下の量水器ボックスに収容する場合であり、近年増えている集合住宅等に設けられたパイプシャフトあるいはパイプスペース内に量水器を設置する際には、上水配管以外にもガス配管、電設配管など様々な配管が設置されており、その限られたスペース内では、適用しずらく、上水用配管に直接量水器を接続している。また、このような場合、既存の量水器を再設置する場合には、上水配管以外にもガス配管、電設配管など様々な配管が設置されており、その限られたスペース内で作業するには困難な状態にある。
【０００４】
このように、上水配管に直接量水器を接続して実際に使用した例は、図８に示されている。建造物１０内に配管された水道管１０３は、分岐管１０２に分岐され、分岐管１０２には接続配管１０１ａを介して量水器１００が接続されている。量水器１００は、接続配管１０１ｂを介して分岐管２０２に接続される。分岐管１０２には量水器１００までの間に止水栓１１５が設けられている。接続は、接続配管１０１ａ、１０１ｂを用い、それぞれの接続配管１０１ａ、１０１ｂのそれぞれの一端には分岐管１０２、２０２が接続され、他端には接続ナット１０５ａ、１０５ｂにより量水器１００が取り付けられている。また、量水器１００が設置されている近傍の接続配管１０１ａ、１０１ｂには支持具１０４ａ、１０４ｂが設けられていて、量水器１００が所定の位置に固定されるように維持されている。
【０００５】
【発明が解決しようとする課題】
しかし、このような上水用配管に直接を量水器を接続し、交換のために再接続する場合には、上水用配管以外にもガス管、電設配管など様々な配管が設置されており、その限られたスペース内で作業するには困難な状態にある。
量水器を交換する際には、既存配管では種々の応力が掛かっており、既設配管から量水器を外すと、再設置する場所の配管が広がったりあるいは狭まったり、ねじれてしまうなど容易に再設置し難いという問題があった。
本発明は、このような事情によりなされたものであり、地上に設置される量水器の設置場所の長さ（スパン）を一定に保つことができて再設置の際に配管ずれを生じないで、量水器の再設置を容易に行うことが可能な量水器の接続装置を提供する。
【０００６】
【課題を解決するための手段】
本発明は、このような課題を解決するために、接続装置を構成する１対の接続部を連結パイプにより結合することを特徴としている。地上に設置される量水器設置場所の長さ、いわゆるスパンを一定に保つことができ、再設置の際に配管ずれを生じないで量水器の再設置を容易に行うことができる。また、この連結パイプは、パイプシャフトあるいはパイプスペース内の他の配管などの構造物に取り付け固定する際の支持母材としても利用することができる。
即ち、本発明の量水器の接続装置は、連結パイプと、この連結パイプの両側に設けられた１対の接続部とを具備し、前記１対の接続部は、それぞれ前記連結パイプが取り付けられた連結部及びこの連結部に一体的に形成された接続体部からなり、１対の前記接続体部は、それぞれの両側に水道管接続部及び量水器接続部を有し、前記量水器接続部は互いに対向しており、前記連結パイプは、前記１対の接続部間の間隔を一定に保つと共に、パイプシャフトあるいはパイプスペース内の他の配管からなる構造物に取り付け固定する支持母材として用いることを特徴としている。前記水道管接続部の少なくとも１方は、曲げられていても良い。前記接続体部の一方には内部に逆止弁を配置しても良い。
【０００７】
【発明の実施の形態】
以下、図面を参照しながら発明の実施の形態を説明する。
まず、図１乃至図５を参照して第１の実施例を説明する。
図１は、本発明の第１の実施例に係る量水器の接続装置正面断面図、図２は、図１に示す量水器の接続装置の平面図、図３は、図１に示す量水器の接続装置の正面図、図４は、建造物に本発明の第１の実施例に係る量水器の接続装置を設置した状態を示す正面図、図５は、図１に示す量水器が装着された状態の量水器の接続装置正面断面図である。
【０００８】
この実施例に係る量水器の接続装置は、図１に示すように、１対の接続部１ａ、１ｂからなり、接続部１ａ、１ｂは、連結部５ａ、５ｂ及びこの連結部５ａ、５ｂの上に設けられた接続体部６ａ、６ｂから構成されている。接続体部６ａ、６ｂは、それぞれ水道管接続部及び量水器接続部を有している。接続体部６ａは、連結部５ａと連続的に繋がるソケット本体７ａと、ソケット本体７ａの一端に装着された袋ナット９ａと、ソケット本体７ａと袋ナット９ａとの結合部に嵌装されたリング８ａから構成されている。接続体部６ｂは、連結部５ｂと連続的に繋がる伸縮ソケット本体７ｂと、伸縮ソケット本体７ｂの一端にパッキン１３を介して嵌合されたスリーブ１１と、伸縮ソケット本体７ｂとスリーブ１１とを固定する固定ナット１４と、スリーブ１１の他端に装着された袋ナット９ｂと、スリーブ１１と袋ナット９ｂとの結合部に嵌装されたリング８ｂから構成されている。伸縮ソケット本体７ｂに嵌装されたスリーブ１１は、この本体の内部を進退自在に移動するように構成されている。１対の連結部５ａ、５ｂは、互いに対向する嵌合孔を有し、それぞれに連結パイプ４が嵌合されている。連結パイプ４は、１対の接続体部６ａ、６ｂ間の間隔を一定に保つようにする。
【０００９】
図２及び図３は、図１に示す量水器の接続装置の外観を示している。
図４は、図１に示す接続装置に量水器を接続し、実際に配管に設置した場合を示している。連結パイプ４で結合された１対の接続部は、１対の接続体部６ａ、６ｂの向かい合う１端（すなわち、袋ナット９ａ、９ｂが装着された１端）に量水器が接合され、それぞれの他端には水道管から分岐した分岐管が接合されている。建造物１０内に配管された水道管３は、分岐管２ａに分岐され、分岐管２ａには量水器１００が接続されている。水道管３から分岐した分岐管２ａ側が上流（図の左側）であり、その反対側すなわち分岐管２ｂ側が下流（図の右側）である。量水器１００は、接続装置を介して分岐管２ａ、２ｂに接続されている。接続装置は、１対の接続部１ａ、１ｂ及び連結パイプ４からなり、接続部１ａ、１ｂは、それぞれ接続体部６ａ、６ｂ及びこれら接続体部に繋がる連結部５ａ、５ｂからなる。連結パイプ４は、これら連結部５ａ、５ｂを結合する。接続体部６ａ、６ｂの一端にはそれぞれ分岐管２ａ、２ｂが接続され、他端には袋ナット  （接続ナット）９ａ、９ｂにより量水器１００が取り付けられている。また、分岐管２ａの水道管３からの分岐点の近傍には止水栓１５が設けられている。
【００１０】
次に、建造物に設けられたパイプシャフトあるいはパイプスペース内に量水器を設置した状況を説明し、既存の量水器を再設置する方法を説明する。所定の時期が来て量水器を取り替える必要が生じた場合、まず、止水栓１５を閉めて通水を停止させる。次に、袋ナット９ａ、９ｂを緩めて量水器を接続体部６ａ、６ｂから外す。古い量水器１００を取り外し後、新しい量水器１００を接続体部６ａ、６ｂに嵌める。新しい量水器を袋ナット９ａ、９ｂでねじ止めしてから、止水栓１５を開いて通水状態にする。
この実施例では古い量水器を新しい量水器に取り替える際に、地上に設置される量水器設置場所の長さを一定に保ち、且つ、配管ずれを生じず、量水器の再設置を容易に行うことができる。また、この連結パイプは、パイプシャフトあるいはパイプスペース内の他の配管などの構造物に取り付け固定する際の支持母材としても利用することができる。
【００１１】
次に、図５を参照して量水器を接続装置から外す方法を詳細に説明する。
図５は、量水器が接続装置に装着された状態を示している。図５に示すように、量水器１００は、対向する接続体部６ａを構成するソケット本体７ａと、接続体部６ｂを構成する伸縮ソケット本体７ｂに装着したスリーブ１１とにパッキン１６ａ、１６ｂを介して挟持され、袋ナット９ａ、９ｂによりねじ止めされている。次に、このような装着状態の量水器１００を接続装置から外す。袋ナット９ｂを緩めて下流側にある量水器１００の一端を外す。次に、袋ナット９ａを緩め、スリーブ１１を伸縮ソケット本体７ｂに押し込んで接続体部６ａ、６ｂ間を広げて量水器１００を取り出す。量水器の取り出しは、このような工程で行われるが、新しい量水器を装着するときは、この逆の工程で行う。
【００１２】
次に、図６を参照して第２の実施例を説明する。
図６は、本発明の第２の実施例に係る量水器の接続装置正面断面図である。この実施例に係る量水器の接続装置は、接続体部の形状に特徴があり、少なくとも１つの接続体部において、分岐管に接合される端部が略直角に曲げられていることに特徴がある。この実施例では、上流側が曲げられているが、本発明では上流側、下流側どちらでも良く、両側が曲げられているようにすることができる。そして、その目的とするところは、集合住宅等に設けられたパイプシャフトあるいはパイプスペース内に量水器を設置する際にそのスペースを有効に使うことにある。図６に示す量水器の接続装置は、図１に示す量水器の接続装置において、上流側の接続体部を分岐管に接合される端部が略直角に曲げられた接続体部と置き換えた構造になっている。
【００１３】
量水器の接続装置は、図６に示すように、１対の接続部からなり、接続部１ａ′、１ｂは、連結部５ａ、５ｂ及びこの連結部５ａ、５ｂの上に設けられた１対の接続体部２６ａ、６ｂから構成されている。接続体部２６ａ、６ｂは、それぞれ水道管接続部及び量水器接続部を有している。上流側の接続体部２６ａは、連結部５ａと連続的に繋がるエルボ２７と、エルボ２７の一端に装着された袋ナット２９と、エルボ２７と袋ナット２９との結合部に嵌装されたリング２８から構成されている。エルボ２７の他端は、略直角に曲げられている。この他端にはパッキン２３を介してソケット２２が設置され、袋ナット２１によりねじ止めして固定されている。下流側の接続体部６ｂは、連結部５ｂと連続的に繋がる伸縮ソケット本体７ｂと、伸縮ソケット本体７ｂの一端にパッキン１３を介して嵌合されたスリーブ１１と、伸縮ソケット本体７ｂとスリーブ１１とを固定する固定ナット１４と、スリーブ１１の他端に装着された袋ナット９ｂと、スリーブ１１と袋ナット９ｂとの結合部に嵌装されたリング８ｂから構成されている。伸縮ソケット本体７ｂに嵌装されたスリーブ１１は、この本体の内部を進退自在に移動するように構成されている。１対の連結部５ａ、５ｂは、互いに対向する嵌合孔を有し、それぞれに連結パイプ４の端部が嵌合されている。連結パイプ４が１対の接続体部２６ａ、６ｂ間の間隔を一定に保つようにしている。
【００１４】
連結パイプ４で結合された１対の接続部は、１対の接続体部２６ａ、６ｂの向かい合う１端（すなわち、袋ナット２９、９ｂが装着された１端）に量水器が接合され、それぞれの他端には水道管から分岐した分岐管が接合される。
この実施例では古い量水器を新しい量水器に取り替える際に、地上に設置される量水器設置場所の長さを一定に保ち、且つ、配管ずれを生じず量水器の再設置を容易に行うことができる。また、この連結パイプは、パイプシャフトあるいはパイプスペース内の他の配管などの構造物に取り付け固定する際の支持母材としても利用することができる。また、接続体部２６ａの分岐管が接続される他端は略直角に曲がっているので、分岐管が接続体部と接続するための水平部分（図４に示す配管では存在している）が不要になり、その分スペースを有効に利用することができる。
【００１５】
次に、図７を参照して第３の実施例を説明する。
図７は、本発明の第３の実施例に係る量水器の接続装置正面断面図である。
この実施例に係る量水器の接続装置は、接続体部に逆止弁を取り付けたことに特徴があり、下流の接続体部に逆止弁を取り付けている。図７において、１対の接続体部６ａ、６ｂ、連結部５ａ、５ｂ及び連結パイプ４の構造は、図１と同様である。この実施例では接続体部６ｂに逆止弁が取り付けられている。接続体部６ａ、６ｂは、それぞれ水道管接続部及び量水器接続部を有している。
逆止弁は、接続体部６ｂのスリーブ１１内に逆止弁ユニット３２が設けられている。これにより、逆止弁は、水道水が下流側に流れれば、水圧により開となり、水道水が上流側に流れようとすれば、上流側の負圧及び内封されたスプリングの押圧により閉となる。
この実施例では古い量水器を新しい量水器に取り替える際に、地上に設置される量水器設置場所の長さを一定に保ち、且つ、配管ずれを生じず量水器の再設置を容易に行うことができる。また、この連結パイプは、パイプシャフトあるいはパイプスペース内の他の配管などの構造物に取り付け固定する際の支持母材としても利用することができる。
【００１６】
なお、本発明では、この逆止弁は、第１の実施例及び第２の実施例のいずれの量水器の接続装置にも適用することができる。
本発明は、以上のような実施例に限定されるものではなく、細部の構成、形状、素材、数量等において、本発明の要旨を逸脱しない範囲で適宜変更、追加、削除等を行うことができる。
【００１７】
【発明の効果】
本発明は、以上の構成により、地上に設置される量水器の設置場所の長さ（スパン）を一定に保つことができて再設置の際に配管ずれが生じず、量水器の再設置を容易に行うことができる。また、この連結パイプは、パイプシャフトあるいはパイプスペース内の他の配管などの構造物に取り付け固定する際の支持母材としても利用することができる。
【図面の簡単な説明】
【図１】図１は、本発明の第１の実施例に係る量水器の接続装置正面断面図。
【図２】図１に示す量水器の接続装置の平面図。
【図３】図１に示す量水器の接続装置の正面図。
【図４】建物に本発明の第１の実施例に係る量水器の接続装置を設置した状態を示す正面図。
【図５】図１に示す量水器が装着された状態の量水器の接続装置正面断面図。
【図６】本発明の第２の実施例に係る量水器の接続装置正面断面図。
【図７】本発明の第３の実施例に係る量水器の接続装置正面断面図。
【図８】建物に従来の方法で量水器を設置した状態を示す正面図。
【符号の説明】
１ａ、１ａ′、１ｂ・・・接続部、
２ａ、２ｂ、１０２、２０２・・・分岐管、
３、１０３・・・水道管、    ４・・・連結パイプ、
５ａ、５ｂ・・・連結部、    ６ａ、６ｂ、２６ａ・・・接続体部、
７ａ・・・ソケット本体、    ７ｂ・・・伸縮ソケット本体、
８ａ、８ｂ、２８・・・リング、
９ａ、９ｂ、２１、２９・・・袋ナット、    １０・・・建造物、
１１・・・スリーブ、    １２・・・スクレーパ、
１４・・・固定ナット、    １５、１１５・・・止水栓、
１６ａ、１６ｂ、１３、２３・・・パッキン、    ２２・・・ソケット、
２７・・・エルボ、    ３２・・・逆止弁ユニット、
１００・・・量水器、    １０１ａ、１０１ｂ・・・接続配管、
１０４ａ、１０４ｂ・・・支持具、
１０５ａ、１０５ｂ・・・接続ナット。
【図１】
0003650376.tif 000002
【図２】
0003650376.tif 000003
【図３】
0003650376.tif 000004
【図４】
0003650376.tif 000005
【図５】
0003650376.tif 000006
【図６】
0003650376.tif 000007
【図７】
0003650376.tif 000008
【図８】
0003650376.tif 000009